(57)【要約】【課題】携帯型電子機器から出力される映像信号や音声信号を、品位を保ちながら外部機器へ有線及び無線で選択的に出力するシステムをコンパクトに構築することが可能なケーブル装置、当該ケーブル装置を有する携帯型電子機器を提供する。【解決手段】多機能ケーブル３のコネクタ３Ｂがアナログ映像信号入力端子６４、アナログ音声信号入力端子６５及びＦＭトランスミッタ６６を内蔵している。このため、ＦＭトランスミッタ６６を携帯型電子機器２や図示しないクレードルに内蔵する場合に比べて、携帯型電子機器２をより小型化したり、クレードルを不要としたりすることができる。すなわち、アナログ映像信号またはアナログ音声信号を、携帯型電子機器２から必要に応じてケーブル本体３ＡまたはＦＭトランスミッタ６６により選択的に外部機器５へ出力するためのシステム１をよりコンパクトに構成することができる。【選択図】  図２
2009016892.tif 000002
【特許請求の範囲】
【請求項１】
携帯型電子機器の第１の端子と直接的に接続され、当該第１の端子から映像信号及び音声信号のうち少なくとも一方の信号を入力する第２の端子と、
前記入力された信号を外部機器へ出力する第３の端子と、
前記第２の端子と前記第３の端子とを結ぶ信号線を内蔵したケーブル本体と、
前記第２の端子と一体的に設けられ、前記入力された信号が所定の周波数に変調された変調波を生成する変調部及び当該変調波を前記外部機器へ送信するアンテナを有する送信機と
を具備することを特徴とするケーブル装置。
【請求項２】
請求項１に記載のケーブル装置であって、
前記第２の端子と、前記送信機のうち少なくとも前記変調部とを内蔵する第１の筐体を更に具備することを特徴とするケーブル装置。
【請求項３】
請求項２に記載のケーブル装置であって、
前記アンテナは、前記ケーブル本体及び前記第１の筐体の外部に露出し、前記第２の端子側から前記第３の端子側へ前記ケーブル本体に沿って延在するように設けられることを特徴とするケーブル装置。
【請求項４】
請求項３に記載のケーブル装置であって、
前記アンテナを前記ケーブル本体に固定するための固定具を更に具備することを特徴とするケーブル装置。
【請求項５】
請求項２に記載のケーブル装置であって、
前記第３の端子は複数設けられ、
当該ケーブル装置は、
複数の前記第３の端子を内蔵する第２の筐体を更に具備することを特徴とするケーブル装置。
【請求項６】
映像信号及び音声信号のうち少なくとも一方の信号を出力する第１の端子を有する携帯型電子機器本体と、
前記第１の端子と直接的に接続され、当該第１の端子から前記信号を入力する第２の端子と、前記入力された信号を外部機器へ出力する第３の端子と、前記第２の端子と前記第３の端子とを結ぶ信号線を内蔵したケーブル本体と、前記第２の端子と一体的に設けられ、前記入力された信号が所定の周波数に変調された変調波を生成する変調部及び当該変調波を前記外部機器へ送信するアンテナを有する送信機とを有するケーブル装置と
を具備することを特徴とする携帯型電子機器。
【請求項７】
請求項６に記載の携帯型電子機器であって、
前記ケーブル装置は、前記第２の端子と、前記送信機のうち少なくとも前記変調部とを内蔵する第１の筐体を有することを特徴とする携帯型電子機器。
【請求項８】
請求項７に記載の携帯型電子機器であって、
前記アンテナは、前記ケーブル本体及び前記第１の筐体の外部に露出し、前記第２の端子側から前記第３の端子側へ前記ケーブル本体に沿って延在するように設けられることを特徴とする携帯型電子機器。
【請求項９】
請求項８に記載の携帯型電子機器であって、
前記ケーブル装置は、前記アンテナを前記ケーブル本体に固定するための固定具を有することを特徴とする携帯型電子機器。
【請求項１０】
請求項７に記載の携帯型電子機器であって、
前記第３の端子は複数設けられ、
前記ケーブル装置は、複数の前記第３の端子を内蔵する第２の筐体を有することを特徴とする携帯型電子機器。
【請求項１１】
請求項６に記載の携帯型電子機器であって、
前記信号はアナログ映像信号及びアナログ音声信号のうち少なくとも一方のアナログ信号であり、
前記携帯型電子機器本体は、
ディジタル映像信号及びディジタル音声信号のうち少なくとも一方を含む放送信号を受信する受信部と、
前記受信された放送信号を復調する復調部と、
前記復調された放送信号を前記アナログ信号に変換する変換部と
を有することを特徴とする携帯型電子機器。
【発明の詳細な説明】
【技術分野】
【０００１】
本発明は、映像信号や音声信号を出力可能な携帯型電子機器に用いられるケーブル装置及び当該ケーブル装置を有する携帯型電子機器に関する。
【背景技術】
【０００２】
近年、例えば衛星放送や地上ディジタル放送の放送信号を受信することが可能な携帯型電子機器が開発されている。携帯型電子機器は、例えば自動車内に持ち込むことで、車内でも上記放送信号を受信して番組を視聴または聴取することが可能となっている。
【０００３】
このような携帯型電子機器においては、受信及び復調した放送信号を、例えばカーオーディオやカーナビゲーションシステムのような車内のＡＶ（オーディオ／ビジュアル）機器へ転送し、当該ＡＶ機器で番組を視聴または聴取できるようにした技術が存在する。この放送信号の転送は、例えば携帯型電子機器の映像信号出力端子及び音声信号出力端子からケーブルを介して行うほか、携帯型電子機器に内蔵した、または携帯電子機器に外付けしたＦＭトランスミッタ等の送信機により行うことも可能となっている。つまり、放送信号を有線及び無線によりＡＶ機器へ選択的に出力することが可能となっている。
【０００４】
また、携帯型電子機器は、そのままでは車内に固定しづらいため、車内に固定された専用のクレードルに着脱して使用する場合もある。そして、このクレードルに、上記ＦＭトランスミッタ等の送信機やケーブル端子等、携帯型電子機器が受信及び復調した放送信号を上記ＡＶ機器へ有線及び無線で選択的に出力するための機構を内蔵させた技術も存在する（例えば、下記特許文献１参照）。  
【特許文献１】特開２００４−３１２７２２号公報（図１等）
【発明の開示】
【発明が解決しようとする課題】
【０００５】
しかしながら、上記特許文献１の技術では、ＦＭトランスミッタ等の送信機を携帯型電子機器に内蔵すると、携帯型電子機器を小型化することができない。また、携帯型電子機器に送信機を外付けで接続する場合にもその分システム全体が大型化してしまうとともに、送信機を別途購入し接続するという手間及びコストも生じる。また、送信機をクレードルに内蔵する場合も、クレードルが必要となる分、システム全体が大型化してしまう。さらに、送信機をクレードルに内蔵する場合は、携帯型電子機器に内蔵する場合に比べて、携帯型電子機器から送信機までのアナログ信号の伝送路が長くなることから、信号の減衰が大きくなってしまい、信号の品位が保てないという問題もある。
【０００６】
以上のような事情に鑑み、本発明の目的は、携帯型電子機器から出力される映像信号や音声信号を、品位を保ちながら外部機器へ有線及び無線で選択的に出力するシステムをコンパクトに構築することが可能なケーブル装置、当該ケーブル装置を有する携帯型電子機器を提供することにある。
【課題を解決するための手段】
【０００７】
上記目的を達成するため、本発明に係るケーブル装置は、携帯型電子機器の第１の端子と直接的に接続され、当該第１の端子から映像信号及び音声信号のうち少なくとも一方の信号を入力する第２の端子と、前記入力された信号を外部機器へ出力する第３の端子と、前記第２の端子と前記第３の端子とを結ぶ信号線を内蔵したケーブル本体と、前記第２の端子と一体的に設けられ、前記入力された信号が所定の周波数に変調された変調波を生成する変調部及び当該変調波を前記外部機器へ送信するアンテナを有する送信機とを具備する。
【０００８】
ここで携帯型電子機器とは、例えば衛星ディジタル放送や地上ディジタル放送を受信可能な受信端末、映像コンテンツ及び音声コンテンツを再生可能な携帯型再生装置、携帯電話機、ＰＤＡ（Personal Digital Assistant）等である。また外部機器とは、例えばカーナビゲーション装置、カーオーディオ装置、テレビジョン受像機、ラジオ受信機、ＡＶアンプ装置、スピーカ装置等である。また上記変調波は例えばＦＭ波、ＡＭ波、ＵＨＦ波等である。
【０００９】
この構成により、ケーブル装置に上記第２及び第３の端子のほか送信機も内蔵させることで、当該送信機を上記携帯型電子機器や当該携帯型電子機器を載置するクレードルに内蔵する場合に比べて、携帯型電子機器をより小型化したり、クレードルを不要としたりできる。すなわち、映像信号または音声信号を、上記携帯型電子機器から必要に応じて上記第３の端子または送信機により選択的に外部機器へ出力するためのシステムを、よりコンパクトに構成することができる。加えて、上記送信機が、携帯型電子機器の第１の端子と直接的に接続された第２の端子と一体的に設けられているため、映像信号または音声信号の減衰を極力防ぎ、信号の品位を保つことができる。
【００１０】
本発明の一の形態によれば、前記ケーブル装置は、前記第２の端子と、前記送信機のうち少なくとも前記変調部とを内蔵する第１の筐体を更に具備する。これにより、第２の端子と送信機のうち少なくとも変調部とを１つの筐体に収めることで、見栄えをすっきりさせることができる。
【００１１】
本発明の一の形態によれば、前記アンテナは、前記ケーブル本体及び前記第１の筐体の外部に露出し、前記第２の端子側から前記第３の端子側へ前記ケーブル本体に沿って延在するように設けられる。これにより、ケーブル本体の他の信号線からアンテナを隔離することができる。従って、アンテナと他の信号線との影響によるノイズの発生を防止することができる。また、アンテナの長さがケーブル本体の長さに束縛されないため、アンテナを最適な長さにすることができる。更に、例えばクレードル内にアンテナが設けられている場合にはクレードルの向きにより指向性の影響が生じるのに対して、クレードルがなくても省スペースながら無指向性を高め、外部機器における受信感度を向上させることができる。
【００１２】
本発明の一の形態によれば、前記アンテナを前記ケーブル本体に固定するための固定具を更に具備する。これにより、固定具によりアンテナをケーブル本体と一体的に固定することで、アンテナの引っかかり等によりアンテナが破損したり、送信感度が不安定になったりするのを防止することができ、かつ、見栄えもよくすることができる。
【００１３】
本発明の一の形態によれば、前記第３の端子は複数設けられ、当該ケーブル装置は、複数の前記第３の端子を内蔵する第２の筐体を更に具備する。これにより、複数の第３の端子を１つの筐体に収めることで、見栄えをすっきりさせることができ、また、複数の第３の端子に容易に他のケーブル等を接続することができる。さらに、ケーブル本体を介して、携帯型電子機器とは離れた、ユーザの目に触れない床面等に第２の筐体を載置することで、車内の見栄えをよくすることもできる。
【００１４】
本発明に係る携帯型電子機器は、映像信号及び音声信号のうち少なくとも一方の信号を出力する第１の端子を有する携帯型電子機器本体と、前記第１の端子と直接的に接続され、当該第１の端子から前記アナログ信号を入力する第２の端子と、前記入力された信号を外部機器へ出力する第３の端子と、前記第２の端子と前記第３の端子とを結ぶ信号線を内蔵したケーブル本体と、前記第２の端子と一体的に設けられ、前記入力された信号が所定の周波数に変調された変調波を生成する変調部及び当該変調波を前記外部機器へ送信するアンテナを有する送信機とを有するケーブル装置とを具備する。
【００１５】
この構成により、ケーブル装置に上記第２及び第３の端子のほか送信機も内蔵させることで、当該送信機を上記携帯型電子機器本体や当該携帯型電子機器本体を載置するクレードルに内蔵する場合に比べて、携帯型電子機器本体をより小型化したり、クレードルを不要としたりできる。すなわち、映像信号または音声信号を、上記携帯型電子機器本体から必要に応じて上記第３の端子または送信機により選択的に外部機器へ出力するためのシステムをよりコンパクトに構成することができる。加えて、上記送信機が、携帯型電子機器本体の第１の端子と直接的に接続された第２の端子と一体的に設けられているため、映像信号または音声信号の減衰を極力防ぎ、信号の品位を保つことができる。
【００１６】
本発明の一の形態によれば、前記ケーブル装置は、前記第２の端子と、前記送信機のうち少なくとも前記変調部とを内蔵する第１の筐体を有する。これにより、第２の端子と送信機のうち少なくとも変調部とを１つの筐体に収めることで、見栄えをすっきりさせることができる。
【００１７】
本発明の一の形態によれば、前記アンテナは、前記ケーブル本体及び前記第１の筐体の外部に露出し、前記第２の端子側から前記第３の端子側へ前記ケーブル本体に沿って延在するように設けられる。これにより、ケーブル本体の信号線からアンテナを隔離することができる。従って、アンテナによるノイズの発生を防止することができる。また、アンテナの長さがケーブル本体の長さに束縛されないため、アンテナを最適な長さにすることができる。更に、例えばクレードル内にアンテナが設けられている場合にクレードルの向きにより指向性の影響が生じるのに対して、クレードルがなくても省スペースながら無指向性を高めることができる。
【００１８】
本発明の一の形態によれば、前記アンテナを前記ケーブル本体に固定するための固定具を更に具備する。これにより、固定具によりアンテナをケーブル本体と一体的に固定することで、アンテナの引っかかり等によりアンテナが破損したり、送信感度が不安定になったりするのを防止することができ、かつ、見栄えもよくすることができる。
【００１９】
本発明の一の形態によれば、前記第３の端子は複数設けられ、当該ケーブル装置は、複数の前記第３の端子を内蔵する第２の筐体を更に具備する。これにより、複数の第３の端子を１つの筐体に収めることで、見栄えをすっきりさせることができ、また、複数の第３の端子に容易に他のケーブル等を接続することができる。さらに、ケーブル本体を介して、携帯型電子機器とは離れた、ユーザの目に触れない床面等に第２の筐体を載置することで、車内の見栄えをよくすることもできる。
【００２０】
本発明の一の形態によれば、前記信号はアナログ映像信号及びアナログ音声信号のうち少なくとも一方のアナログ信号であり、前記携帯型電子機器本体は、ディジタル映像信号及びディジタル音声信号のうち少なくとも一方を含む放送信号を受信する受信部と、前記受信された放送信号を復調する復調部と、前記復調された放送信号を前記アナログ信号に変換する変換部とを有する。これにより、ディジタル映像信号及びディジタル音声信号のうち少なくとも一方を含む放送信号を受信し、復調し、アナログ信号に変換し、第１の端子から出力することができる。
【発明の効果】
【００２１】
以上のように、本発明によれば、携帯型電子機器から出力される映像信号や音声信号を、品位を保ちながら外部機器へ有線及び無線で選択的に出力するシステムをコンパクトに構築することができる。
【発明を実施するための最良の形態】
【００２２】
以下、本発明の実施の形態を図面に基づき説明する。  
図１は本発明の一実施形態に係る携帯型電子機器から出力される信号を外部機器に出力するシステムの構成を示す図である。
【００２３】
本実施形態のシステム１は、携帯型電子機器２、多機能ケーブル３、多機能ケーブル３に接続される映像音声信号ケーブル４などのケーブル及び映像音声信号ケーブル４に接続される外部機器５を備えている。
【００２４】
携帯型電子機器２は、例えば衛星ディジタル放送や地上ディジタル放送を受信可能な受信端末である。携帯型電子機器２は、映像などを表示する液晶ディスプレイ６、操作入力部７及び多機能ケーブル３に接続されるコネクタ８を備えている。操作入力部７は、例えば電源ボタンや、メニューを液晶ディスプレイ６に表示させるためのボタンや、映像モード／音声モードを切り替えるためのモードボタンや、周波数調整のためのジョグダイヤルなどを備えている。
【００２５】
多機能ケーブル３は、ケーブル本体３Ａ、ケーブル本体３Ａの一端側で携帯型電子機器２に接続されるコネクタ３Ｂ、及びケーブル本体３Ａの他端側で映像音声信号ケーブル４などに接続されるコネクタ３Ｃを備えている。
【００２６】
コネクタ３Ｃは、映像信号出力端子１１、音声信号出力端子１２、１３、アンテナ接続端子１４、１５、パーキングブレーキ信号入力端子１６及び電源入力端子１７を備えている。コネクタ３Ｃには、例えば映像音声信号ケーブル４、アンテナケーブル２１、パーキングブレーキセンサケーブル２２及びシガーＤＣ電源ケーブル２３が接続される。
【００２７】
映像音声信号ケーブル４は、映像信号入出力端子２４、２５を備えたケーブル４ａと、音声信号入出力端子２６、２７を備えた２本のケーブル４ｂとを備えている。映像信号入力端子２４はコネクタ３Ｃの映像信号出力端子１１に接続され、音声信号入力端子２６は音声信号出力端子１２、１３に接続される。
【００２８】
２本のアンテナケーブル２１は、それぞれ一端に例えばＳバンド衛星ディジタル放送のＲＦ信号を受信するアンテナ２８を有し、他端に接続端子３１を有している。各アンテナ２８は例えば車外のルーフ部やサイドガラス等に設置される。接続端子３１は多機能ケーブル３のコネクタ３Ｃのアンテナ接続端子１４、１５に接続される。
【００２９】
パーキングブレーキセンサケーブル２２の一端には、自動車からブレーキ信号を入力し、当該ブレーキ信号に応じて液晶ディスプレイ６や外部機器５のディスプレイにおける表示規制を行うためのパーキングブレーキセンサ２９が設けられ、他端には、パーキングブレーキ信号入力端子１６に接続される接続端子３２が設けられる。
【００３０】
シガーＤＣ電源ケーブル２３の一端は、自動車のシガーソケット（図示せず）に接続され、他端の接続端子３３は、電源入力端子１７に接続される。これにより、多機能ケーブル３を介して携帯型電子機器２へ例えば１２Ｖの直流電源が供給される。
【００３１】
外部機器５は、例えばカーナビゲーション装置であり、携帯型電子機器２のアナログ映像信号やアナログ音声信号を、映像音声信号ケーブル４やコネクタ３Ｂ内の後述するＦＭトランスミッタを介して受信し、映像を表示したり音声を出力したりする。
【００３２】
図２は携帯型電子機器２及び多機能ケーブル３の構成を示すブロック図、図３は多機能ケーブル３の斜視図である。  
携帯型電子機器２は、フロントエンド部４０と、バックエンド部４１と、液晶ディスプレイ６とからその主要部が構成されている。
【００３３】
フロントエンド部４０は、上記アンテナ２８からアンテナ接続端子１４及び１５を介して入力されたＲＦ信号をダウンコンバートし、そのＲＦ信号を復調及び復号するＲＦチューナＩＣ４３と、条件付きアクセスまたは限定受信にされている有料放送において受信契約の有無に応じてＲＦ信号の解読を実行するか否かを規制するＣＡＳ（Conditional Access System）  ＩＣ４４と、アンテナ４５から入力された例えばＵＨＦなどのＲＦ信号をダウンコンバートし、そのＲＦ信号を復調及び復号する、ディジタル地上波放送（例えばワンセグ放送）受信用のＲＦチューナＩＣ４６とを備えている。
【００３４】
バックエンド部４１は、フロントエンド部４０からの信号の同期をとるためのＣＰＬＤ（Complex Programmable Logic Device）４７と、復号されたディジタル音声信号をアナログの音声信号に変換するＡＵＤＩＯ  ＤＡＣ（ディジタル・アナログ・コンバータ）４８と、復号されたディジタル信号を例えばＮＴＳＣ（National Television Standards Committee）画像信号等のアナログ信号に変換するグラフィック・ディスプレイ・コントローラ機能を有し装置全体を包括的に制御するＤＳＰ（Digital Signal Processor）及びＣＰＵ（Central Processing Unit）で構成される制御部４９と、その他データを記憶するフラッシュＲＯＭ（Read Only Memory）５０やＳＤＲＡＭ（Synchronous Dynamic Random Access Memory）５１などを備える。ディジタル・アナログ・コンバータ４８で変換されたアナログ信号は、アナログ音声信号出力端子５２から多機能ケーブル３側に出力される。制御部４９で生成されたＮＴＳＣ画像信号はアナログ映像信号出力端子５３から多機能ケーブル３側に出力される。
【００３５】
液晶ディスプレイ６は、受信した放送信号の映像や、受信中の番組に関するデータなどを表示する。液晶ディスプレイ６に表示される映像は、ＭＰＵ（Micro Processing Unit）５４により表示制御が行われている。また、ＭＰＵ５４は、操作入力部７からの入力信号を処理する。電源５５は、電源入力端子１７に入力された１２Ｖの直流電源を、多機能ケーブル３の電源ケーブル６１を介して入力し、各部に電力を供給する。
【００３６】
多機能ケーブル３のケーブル本体３Ａは、図２に示すように、電源ケーブル６１、映像信号線６２、２本の音声信号線６３及び図示しないアンテナ信号線を備え、これらが束ねられ図３に示すように樹脂製皮膜に覆われて一体的に構成されている。
【００３７】
コネクタ３Ｂは、図３に示すように、筐体６８を備えている。当該筐体６８には、図２及び図３に示すように、アナログ映像信号入力端子６４及び２つのアナログ音声信号入力端子６５が一体となって、当該筐体６８の一側面６８ａから突出するように設けられ、コネクタ３Ｃのアンテナ接続端子１４、１５と接続された２つのアンテナ出力端子６９も同じく一側面６８ａから突出するように設けられる。更に、筐体６８は、ＦＭトランスミッタ６６を内蔵している。
【００３８】
アナログ映像信号入力端子６４は、図２に示すように、携帯型電子機器２のコネクタ８の、アナログ映像信号出力端子５３に接続される。
【００３９】
アナログ音声信号入力端子６５は、図２に示すように、それぞれ携帯型電子機器２のコネクタ８の、アナログ音声信号出力端子５２に接続される。
【００４０】
ＦＭトランスミッタ６６は、音声信号入力端子６５から入力されたアナログ信号がＦＭ波に変調された変調波を生成する変調部（図示せず）と、変調部で生成された変調波をカーオーディオ装置等の外部機器５に送信するアンテナ６７とを備え、２つの音声信号入力端子６５と一体的に構成されている。当該アンテナ６７から送信された変調波は、外部機器５により受信され、外部機器５のスピーカ（図示せず）から出力される。
【００４１】
アンテナ６７は、図３に示すように、ケーブル本体３Ａ及び筐体６８の外部に露出し、２つの音声信号入力端子６５側から音声信号出力端子１２、１３側へケーブル本体３Ａに沿って延在するように設けられている。アンテナ６７は、固定具７０によりケーブル本体３Ａに固定されている。固定具７０は、例えばアンテナ６７と、ケーブル本体３Ａとを囲うような環状構造を有している。固定具７０は、所定間隔に配置され、複数箇所でアンテナ６７とケーブル本体３Ａとを固定している（図１参照）。
【００４２】
コネクタ３Ｃは、図３に示すように、例えば車内の床面等に載置することができるように平面７１を有する筐体７２を備えている。図２に示すように、筐体７２の一側面７３に設けられた映像信号出力端子１１は、ケーブル本体Ａが内蔵する映像信号線６２に接続され、音声信号出力端子１２、１３は、ケーブル本体Ａが内蔵する２本の音声信号線６３に接続され、アンテナ接続端子１４、１５は、ケーブル本体Ａが内蔵するアンテナ信号線（図示せず）に接続され、パーキングブレーキ信号入力端子１６は、ケーブル本体Ａが内蔵するパーキングブレーキ信号線（図示せず）に接続され、電源入力端子１７は、ケーブル本体Ａが内蔵する電源ケーブル６１に接続されている。
【００４３】
携帯型電子機器２及び多機能ケーブル３を介してこの映像信号出力端子１１及び音声信号出力端子１２、１３から出力された映像信号及び音声信号は、上記映像音声信号ケーブル４を介して外部機器５へ入力され、外部機器５のディスプレイ及びスピーカから出力される。
【００４４】
アンテナ２８からアンテナ接続端子１４、１５を介して入力された放送信号は、上記アンテナ信号線を通り、上記コネクタ３Ｂの上記アンテナ出力端子６９及び携帯型電子機器２のコネクタ８を介してフロントエンド部４０のＲＦチューナＩＣ４３へ供給される。パーキングブレーキ信号入力端子１６から入力されたパーキングブレーキ信号は、上記パーキングブレーキ信号線を通り、コネクタ３Ｂを介して制御部４９へ供給される。
【００４５】
ユーザは、上記携帯型電子機器２が上記ＲＦチューナＩＣ４３により受信した音声信号を、上記多機能ケーブル３及び映像音声信号ケーブル４を介して外部機器４へ出力するか、上記ＦＭトランスミッタ６６により無線で外部機器４へ出力するかを選択することが可能となっている。この選択は、例えばＦＭトランスミッタ機能のＯＮ／ＯＦＦを設定するためのメニュー画面を液晶ディスプレイ６に表示させ、操作入力部７により当該ＯＮ／ＯＦＦを切り替えるようにすればよい。
【００４６】
このように本実施形態では、多機能ケーブル３のコネクタ３Ｂがアナログ映像信号入力端子６４、アナログ音声信号入力端子６５及びＦＭトランスミッタ６６を内蔵している。このため、ＦＭトランスミッタ６６を携帯型電子機器２や図示しないクレードルに内蔵する場合に比べて、携帯型電子機器２をより小型化したり、クレードルを不要としたりすることができる。すなわち、アナログ映像信号またはアナログ音声信号を、携帯型電子機器２から必要に応じてケーブル本体３ＡまたはＦＭトランスミッタ６６により選択的に外部機器５へ出力するためのシステム１をよりコンパクトに構成することができる。
【００４７】
また、ＦＭトランスミッタ６６が、携帯型電子機器２のアナログ音声信号出力端子５２、アナログ映像信号出力端子５３と直接的に接続された音声信号入力端子６５、映像信号入力端子６４と一体的にコネクタ３Ｂに設けられている。このため、例えばディジタル・アナログ・コンバータ４８から出力されたアナログ音声信号の減衰を極力防ぎ、信号の品位を保つことができる。
【００４８】
更に、クレードルが不要になるので、ユーザは例えばマジックテープ（登録商標）などを用いることで、車内の好きな位置に携帯型電子機器２を固定し易くなる。このとき、多機能ケーブル３のコネクタ３Ｃは、平面７１を有する筐体７２を備えているので、ケーブル本体３Ａを介して、携帯型電子機器２とは離れた、ユーザの目に触れにくい例えば車内の床面等にコネクタ３Ｃを載置することができる。これにより、乗車中のユーザの目に触れるのは、より小型化された携帯型電子機器２のみとすることができ、車内をすっきり見せることができる。
【００４９】
また、図３に示すように、アンテナ６７は、ケーブル本体３Ａの外部に露出し、音声信号入力端子６５側から音声信号出力端子１２、１３側へケーブル本体３Ａに沿って延在するように設けられている。これにより、ケーブル本体３Ａ内の電源ケーブル６１、映像信号線６２、音声信号線６３及び図示しないアンテナ信号線からアンテナ６７を隔離することができる。従って、他の信号線の影響によりアンテナ６７から送信される変調波にノイズが発生したり、他の信号線を流れる信号にノイズが発生したりするのを防止することができる。
【００５０】
更に、アンテナ６７の長さがケーブル本体３Ａの長さに束縛されないため、アンテナ６７を最適な長さにすることができる。更に、例えばクレードル内にアンテナ６７が設けられている場合にクレードルの向きにより指向性の影響が生じるのに対して、クレードルがなくても省スペースながら無指向性を高めることができる。
【００５１】
また、図３に示すように、アンテナ６７をケーブル本体３Ａに固定するための固定具７０を複数備えている。これにより、アンテナ６７をケーブル本体３Ａと一体的に固定してアンテナ６７の引っかかり等によりアンテナ６７が破損したり、送信感度が不安定になったりするのを防止することができ、かつ、見栄えもよくすることができる。
【００５２】
更に、多機能ケーブル３のコネクタ３Ｃは、筐体７２を備え、筐体７２の一側面７３には、映像信号出力端子１１、音声信号出力端子１２、１３、アンテナ接続端子１４、１５、パーキングブレーキ信号入力端子１６及び電源入力端子１７が配列して設けられている。これにより、各端子に映像音声信号ケーブル４、アンテナケーブル（アンテナ）２１、パーキングブレーキセンサケーブル２２及びシガーＤＣ電源ケーブル２３を容易に接続することができる。また複数のケーブルが幾又にもばらばらに分岐しているような場合に比べて、各ケーブルを筐体７２にすっきりまとめることができ、見栄えもよくなる。
【００５３】
本発明は以上説明した実施の形態に限定されるものではなく、本発明の要旨を逸脱しない範囲内において種々の変形が可能である。
【００５４】
上記実施形態では、携帯型電子機器２が衛星ディジタル放送や地上ディジタル放送を受信可能な受信端末である例を示した。しかし、これに限定されず、例えば携帯型電子機器２は、例えば半導体メモリやＨＤＤ（Hard Disk Drive）等に記録した映像コンテンツ及び音声コンテンツを再生可能な携帯型再生装置、携帯電話機、ＰＤＡ等でもよい。
【００５５】
上記実施形態では、外部機器５がカーナビゲーション装置である例を示した。しかし、これに限定されず、例えば、カーオーディオ、テレビジョン受像機、ラジオ受信機、ＡＶアンプ装置、スピーカ装置等でもよい。
【００５６】
上記実施形態では、多機能ケーブル３（のコネクタ３Ｂ）にＦＭトランスミッタ６６を内蔵する例を示した。しかし、これに限定されず、例えばＡＭトランスミッタやＵＨＦトランスミッタを内蔵するようにしてもよい。また、アナログ映像信号を変調して外部機器５に映像信号を出力するビデオトランスミッタをケーブル３（のコネクタ３Ｂ）に内蔵するようにしてもよい。
【００５７】
上記実施形態では、電源５５は、多機能ケーブル３の電源入力端子１７を介して自動車のシガーソケットから入力される例を示した。しかし、これに限定されず、電源５５は例えば充電式のバッテリとして携帯型電子機器２に内蔵されていても構わない。この場合、多機能ケーブル３のコネクタ３Ｂが携帯型電子機器２のコネクタ８に接続されたときに、電源入力端子１７を介してバッテリへの充電を開始するようにしても構わない。
【図面の簡単な説明】
【００５８】
【図１】本発明の一実施形態に係る携帯型電子機器から出力される信号を外部機器に出力するシステムの構成を示す図である。
【図２】携帯型電子機器２及び多機能ケーブル３の構成を示すブロック図である。
【図３】多機能ケーブル３の斜視図である。
【符号の説明】
【００５９】
１  システム
２  携帯型電子機器
３  多機能ケーブル
３Ａ  ケーブル本体
３Ｂ、３Ｃ  コネクタ
４  映像音声信号ケーブル
５  外部機器
１１  映像信号出力端子
１２、１３  音声信号出力端子
１４、１５  アンテナ接続端子
１６  パーキングブレーキ信号入力端子
１７  電源入力端子
４０  フロントエンド部
４１  バックエンド部
４３、４６  ＲＦチューナＩＣ
４８  ディジタル・アナログ・コンバータ
４９  制御部
５２  アナログ音声信号出力端子
５３  アナログ映像信号出力端子
６１  電源ケーブル
６２  映像信号線
６３  音声信号線
６４  アナログ映像信号入力端子
６５  アナログ音声信号入力端子
６６  ＦＭトランスミッタ
６７  アンテナ
７０  固定具
７２、６８  筐体
【図１】
2009016892.tif 000003
【図２】
2009016892.tif 000004
【図３】
2009016892.tif 000005